(57)【要約】内包する電極の寿命を増大する容器が開示される。第１の容器には、一若しくはそれ以上のゲル含有電極パッドが封入される。更に、少なくとも一の湿気源が容器内に封入される。
2004520153.tif 000002
【特許請求の範囲】
【請求項１】
内包する少なくとも１つの電極の寿命を高めるための容器であって、
ゲルを含む電極パッドを含む前記電極が封入される第１の容器と、
前記容器内に封入される少なくとも１つの湿気源とを含む、容器。
【請求項２】
前記少なくとも１つの湿気源は、前記容器内に封入される犠牲ゲルの少なくとも一部を含む、請求項１記載の容器。
【請求項３】
前記犠牲ゲルは、電極上のゲルの湿気含有量と略類似する湿気含有量を有する、請求項２記載の容器。
【請求項４】
前記犠牲ゲルは、前記電極パッドのゲルに類似する速度で前記容器の内部に湿気を放出する、請求項２記載の容器。
【請求項５】
前記犠牲ゲルの露出表面の少なくとも一部を覆う湿気透過可能なカバーを更に含む、請求項２記載の容器。
【請求項６】
犠牲ゲルの部位は、該ゲルからの湿気放出速度が前記電極パッドのゲルからの湿気放出速度と略類似する結果を生むほど十分に覆われる、請求項５記載の容器。
【請求項７】
前記犠牲ゲルは、前記電極パッドのゲルよりも大きい速度で前記容器の内部に湿気を放出する、請求項２記載の容器。
【請求項８】
前記犠牲ゲルは、前記電極パッドのゲルよりも小さい速度で前記容器の内部に湿気を放出する、請求項２記載の容器。
【請求項９】
前記容器は、金属フォイルを含む、請求項１記載の容器。
【請求項１０】
前記容器は、柔軟なカバーを備える硬質若しくは半硬質の部位を含む、請求項１記載の容器。
【請求項１１】
前記電極パッドのゲルの少なくとも一部を覆うカバーを更に含む、請求項２記載の容器。
【請求項１２】
前記カバーは、金属フォイルを含む、請求項１１記載の容器。
【請求項１３】
前記犠牲ゲルの露出表面の少なくとも一部を覆う湿気透過可能なカバーを更に含み、該湿気透過可能なカバーは、前記電極パッドのゲル上のカバーよりも速く容器の内部に湿気を放出する、請求項１１記載の容器。
【請求項１４】
前記少なくとも１つの湿気源は、ゲルの部位、液体、液体含有吸収体のうちの少なくとも１つを含む、請求項１記載の容器。
【請求項１５】
液体は水である、請求項１４記載の容器。
【請求項１６】
前記吸収体は、スポンジである、請求項１４記載の容器。
【請求項１７】
前記電極パッドの少なくとも一部を覆うカバーを更に含む、請求項２記載の容器。
【請求項１８】
前記カバーは、金属フォイルを含む、請求項１７記載の容器。
【請求項１９】
前記カバーは、ゲル近傍の高分子の底層、金属フォイルの中間層、高分子の上層を含む、請求項１７記載の容器。
【請求項２０】
前記高分子の底層は、ポリエチレン、ポリプロピレン若しくはポリエステルを含む、請求項１９記載の容器。
【請求項２１】
前記ポリエチレンは、低若しくは高密度である、請求項２０記載の容器。
【請求項２２】
ポリエチレン、ポリプロピレン若しくはポリエステルは、低力剥離表面が被覆される、請求項２０記載の容器。
【請求項２３】
前記低力剥離表面は、シリコンを含む、請求項２０記載の容器。
【請求項２４】
前記金属フォイルは、アルミニウムフォイルである、請求項１９記載の容器。
【請求項２５】
前記高分子の上層は、ポリエチレン、ポリプロピレン若しくはポリエステルを含む、請求項１８記載の容器。
【請求項２６】
前記ポリエチレンは、低若しくは高密度である、請求項２０記載の容器。
【請求項２７】
前記容器は、金属フォイルの袋を含む、請求項１記載の容器。
【請求項２８】
前記容器は、２つの容器部を含む、請求項１記載の容器。
【請求項２９】
前記第１の容器が封入される外側の容器を更に含む、請求項１記載の容器。
【請求項３０】
前記電極は、医療用電極である、請求項１記載の容器。
【請求項３１】
前記電極は、細動除去器用電極である、請求項１記載の容器。
【請求項３２】
前記電極は、ＥＣＧ電極である、請求項１記載の容器。
【請求項３３】
電極パッドのゲルを覆う剥離ライナーであって、金属フォイルを含む、剥離ライナー。
【請求項３４】
前記剥離ライナーは、前記ゲルと前記金属フォイルの間の高分子の底層、及び、前記金属フォイル上の高分子の上層を含む、請求項３３記載の剥離ライナー。
【請求項３５】
前記高分子の底層は、ポリエチレン、ポリプロピレン若しくはポリエステルを含む、請求項３４記載の剥離ライナー。
【請求項３６】
前記ポリエチレンは、低若しくは高密度である、請求項３５記載の剥離ライナー。
【請求項３７】
前記ポリエチレンは、低力剥離表面が被覆される、請求項３５記載の剥離ライナー。
【請求項３８】
低力剥離表面はシリコンを含む、請求項３５記載の剥離ライナー。
【請求項３９】
前記金属フォイルは、アルミニウムフォイルである、請求項３３記載の剥離ライナー。
【請求項４０】
前記高分子の上層は、ポリエチレン、ポリプロピレン若しくはポリエステルを含む、請求項３４記載の剥離ライナー。
【請求項４１】
少なくとも１つのゲル含有電極パッドを含む電極の寿命を高める方法であって、
前記電極を備える容器内に少なくとも１つの湿気源を封入することを含む、方法。
【請求項４２】
容器内に少なくとも１つの湿気源を封入することは、容器内に犠牲ゲルの少なくとも一部を封入することを含む、請求項４１記載の方法。
【請求項４３】
前記犠牲ゲルは、電極パッドのゲルの湿気含有量と略類似する湿気含有量を有する、請求項４２記載の方法。
【請求項４４】
前記犠牲ゲルは、前記電極パッドのゲルに類似する速度で前記容器の内部に湿気を放出する、請求項４２記載の方法。
【請求項４５】
前記犠牲ゲルの露出表面の少なくとも一部を湿気透過可能なカバーで覆うことを更に含む、請求項４２記載の方法。
【請求項４６】
犠牲ゲルの部位は、該ゲルからの湿気放出速度が前記電極パッドのゲルからの湿気放出速度と略類似する結果を生むほど十分に覆われる、請求項４５記載の方法。
【請求項４７】
前記犠牲ゲルは、前記電極パッドのゲルよりも大きい速度で前記容器の内部に湿気を放出する、請求項４２記載の方法。
【請求項４８】
前記犠牲ゲルは、前記電極パッドのゲルよりも小さい速度で前記容器の内部に湿気を放出する、請求項４２記載の方法。
【請求項４９】
前記電極及び前記少なくとも１つの湿気源は、金属フォイルを含む容器内に封入される、請求項４１記載の方法。
【請求項５０】
前記電極及び前記湿気源は、硬質若しくは半硬質の部位及び柔軟なカバーを含む容器内に封入される、請求項４１記載の方法。
【請求項５１】
前記電極パッドのゲルの少なくとも一部をカバーにより覆うことを更に含む、請求項４２記載の方法。
【請求項５２】
前記カバーは、金属フォイルを含む、請求項５１記載の方法。
【請求項５３】
前記犠牲ゲルの露出表面の少なくとも一部を湿気透過可能なカバーで覆うこと更に含み、該湿気透過可能なカバーは、前記電極パッドのゲル上のカバーよりも速く容器の内部に湿気を放出する、請求項５１記載の方法。
【請求項５４】
前記少なくとも１つの湿気源は、ゲルの部位、液体、液体含有吸収体のうちの少なくとも１つを含む、請求項４１記載の方法。
【請求項５５】
前記液体は水である、請求項５４記載の方法。
【請求項５６】
前記吸収体はスポンジである、請求項５４記載の方法。
【請求項５７】
前記電極パッドのゲルの少なくとも一部をカバーで覆うことを更に含む、請求項４２記載の方法。
【請求項５８】
前記カバーは、金属フォイルを含む、請求項５７記載の方法。
【請求項５９】
前記カバーは、ゲル近傍の高分子の底層、金属フォイルの中間層、高分子の上層を含む、請求項５７記載の方法。
【請求項６０】
前記高分子の底層は、ポリエチレン、ポリプロピレン若しくはポリエステルを含む、請求項５９記載の方法。
【請求項６１】
前記ポリエチレンは、低若しくは高密度である、請求項５９記載の方法。
【請求項６２】
前記ポリエチレン、ポリプロピレン若しくはポリエステルは、低力剥離表面が被覆される、請求項６０記載の方法。
【請求項６３】
低力剥離表面はシリコンを含む、請求項６０記載の方法。
【請求項６４】
前記金属フォイルは、アルミニウムフォイルである、請求項５９記載の方法。
【請求項６５】
前記高分子の上層は、ポリプロピレン、ポリエステル、若しくはポリエチレンを含む、請求項５９記載の方法。
【請求項６６】
前記ポリエチレンは、低若しくは高密度である、請求項６０記載の方法。
【請求項６７】
前記容器は、金属フォイルの袋を含む、請求項４１記載の方法。
【請求項６８】
２つの容器片に電極を封入することを更に含む、請求項４１記載の方法。
【請求項６９】
第１の容器を外側の容器に封入することを更に含む、請求項４１記載の方法。
【請求項７０】
ゲル含有電極パッドを含む電極の寿命を高める方法であって、
金属フォイルを含む剥離ライナーで前記電極をカバーすることを含む、方法。
【請求項７１】
剥離ライナーは、ゲルと金属フォイルとの間の電極パッド上の高分子の底層と、金属フォイルの上の高分子の上層とを含む、請求項７０記載の方法。
【請求項７２】
前記高分子の底層は、ポリエチレン、ポリプロピレン若しくはポリエステルを含む、請求項７１記載の方法。
【請求項７３】
前記ポリエチレンは、低若しくは高密度である、請求項７２記載の方法。
【請求項７４】
前記ポリエチレン、ポリプロピレン若しくはポリエステルは、低力剥離表面が被覆される、請求項７２記載の方法。
【請求項７５】
前記低力剥離表面はシリコンを含む、請求項７２記載の方法。
【請求項７６】
前記金属フォイルは、アルミニウムフォイルである、請求項７０記載の方法。
【請求項７７】
前記高分子の上層は、ポリプロピレン、ポリエステル、若しくはポリエチレンを含む、請求項７１記載の方法。
【請求項７８】
前記電極は、医療用電極である、請求項７０記載の方法。
【請求項７９】
前記電極は、細動除去器用電極である、請求項７０記載の方法。
【請求項８０】
前記電極は、ＥＣＧ電極である、請求項７０記載の方法。
【請求項８１】
少なくとも１つのゲル含有電極パッドを含む電極の寿命を高める方法であって、
第１の容器内に電極パッドを封入することと、
第２の容器内に前記第１の容器を封入することとを含む、方法。
【請求項８２】
前記第１の容器は、金属フォイルの袋である、請求項８１記載の方法。
【請求項８３】
前記第１の容器は、硬質若しくは半硬質の部位及び柔軟なカバーを含む、請求項８１記載の方法。
【請求項８４】
前記第１の容器は、透明若しくは半透明の部位を含む、請求項８１記載の方法。
【請求項８５】
前記第２の容器は、金属フォイルを含む、請求項８１記載の方法。
【請求項８６】
前記第２の容器は、透明若しくは半透明の部位を含む、請求項８１記載の方法。
【請求項８７】
前記第２の容器は、高分子材料を含む、請求項８１記載の方法。
【請求項８８】
前記高分子材料は、ポリプロピレンである、請求項８７記載の方法。
【請求項８９】
前記高分子材料は、ポリエチレンである、請求項８７記載の方法。
【請求項９０】
前記第２の容器は、硬質若しくは半硬質の部位及び柔軟なカバーを含む、請求項８１記載の方法。
【発明の詳細な説明】
【０００１】
［発明の分野］
本発明は、容器内に封入される電極の寿命を延ばすための密閉容器に関する。また、本発明は、容器内に封入される電極の寿命を延ばすための方法に関する。更に、本発明は、電極をカバーする剥離ライナーに関する。
【０００２】
［先行技術の説明］
パッケージされる製品は、その容器の中で長期間に亘り保持される場合があるので、容器内の条件を制御することが望ましい場合がある。例えば、湿度及び温度は、多くのパッケージされる製品の条件に影響を与える。とりわけ、パッケージされる製品は、損傷や機能障害を防止するため、低湿度を必要とする場合がある。多くの容器内で、水分を吸収するシリカゲルの小包が含まれることは、容器内の湿度を制御する要望があることの表れである。容器内のシリカゲルは、所望の状態で容器内の製品を保存する補助をすることができる。とりわけ、シリカゲルは、乾燥環境を維持するため水分を吸収する。他の場合では、容器内で湿気環境を維持することが望ましいかもしれない。
【０００３】
時々、製品は、所望の状態や機能性を維持すべく、ある範囲内に留まることが必要とされる場合がある。かかる製品の一例は、医療用の電極パッドである。例えば、電極パッドは、その動作を促進するヒドロゲルを含む場合がある。電極パッドの寿命は、十分な湿気がヒドロゲルから気化してパッド容器から漏出するのに要する時間の長さによって、部分的に決定される。湿気が漏れるにつれて、電極パッドの電気的特性は、徐々に劣化することになる。
【０００４】
電極パッドが細動除去器で利用される状況下において、非常に顕著な要因は、患者と細動除去器との間の小さな及び大きな信号インピーダンス値における変化を含む。ヒドロゲルが乾燥するにつれて、インピーダンス値が増加し、これにより、患者の電気信号を監視し、経胸腔インピーダンスを取得し、体内にエネルギを搬送することが困難となる。
【０００５】
水分の喪失は、ヒドロゲルの機械的特性にも影響を及ぼしうる。あるヒドロゲルでは、水分の喪失によって、ヒドロゲルに膜や特にエッジ部周辺での固体性が生じ、これにより、肌へのヒドロゲルの付着能力が劣化する。この部分的若しくは完全な接着力の喪失によって、電極は、肌との効果的な接触を生成若しくは維持することができないので、無用なものとなる。従って、電極パッドからの水分の喪失は、細動除去器による心電図（ＥＣＧ）信号の受信を妨害若しくは減衰しうる。更に、電極パッドからの水分の喪失は、細動除去器から患者への線維素除去エネルギの搬送を変化させうる。
【０００６】
更に、患者の肌との電極パッドの貧弱若しくは不均一な接触は、良好な肌接触を呈する領域への線維素除去中のエネルギ伝達を過度に集中させる場合がある。貧弱若しくは不均一な肌接触に起因する通常の電流密度よりも高い密度は、肌に悪影響を及ぼす。電流が、患者に細動除去器により、電極パッドの設計時に意図した態様で搬送されない場合、患者に搬送される最終の処理剤が変化し、寛容な成果を劣化させうる。
【０００７】
開封時に電極パッドが使用不能であることを確認する補助のために、電極製造業者は、現に、パッドの各セットに有効期限日を印刷する。電極パッドは、有効期限日を過ぎると捨てられることになる。しかし、有効期限日は、典型的には、パッドで使用されるヒドロゲルの研究、及び、通常及び無菌条件下における経時的に容器から漏れる湿気の量に基づいて決定されている。安全係数が付加され、電極パッドが元の装置製造業者（ＯＥＭ）へ部品供給元から配送され、次いで消費者へとＯＥＭから渡るまでの時間が与えられる。これは、有効期限日の前に容器から取り出されたとき、如何なる容器の損傷を排除し、電極パッドが常に使用可能であることを保証する補助をする。
【０００８】
電極パッドや上述のような他の部品の有効期限日を計算することは、品質を保証する保守的な方法である。しかし、結果として、有効期限日は、パッドが実際に期限切れになる前に到達する。実際には、電極パッドは、特に室温で維持されたり若しくは高湿の環境下で維持されている場合には、有効期限日より遥かに長く使用可能でありうる。
【０００９】
上述の例は、特定用途の電極パッドの特定の一例を示したに過ぎない。他の用途の電極パッドも同様に影響を受ける。また、電極パッド以外の装置も、年月及び容器条件に影響を受ける。更に、腐食や汚染物質のような湿度以外の要因も、装置の機能に影響を及ぼしうる。
【００１０】
［発明の概要］
本発明は、パッケージされる装置の動作性を保証することに関する問題に対処する。本発明は、容器内の種々の条件によって影響を受ける種々の製品に有用である。本発明の一の効果は、電極若しくは他の湿気依存装置の寿命を延長できることにある。
【００１１】
本発明は、内包する電極の寿命を高めるための容器を含む。容器は、一若しくはそれ以上の電極が封入される第１の容器を含む。電極は、少なくとも一の電極パッドゲルを含む。本発明は、また、容器内に封入される少なくとも一の湿気源を含む。
【００１２】
また、本発明は、電極パッドゲルをカバーする剥離ライナーを含む。剥離ライナーは金属フォイルを含む。
【００１３】
更に、本発明は、少なくとも一の湿気源を備えるか若しくは備えない電極の第１の容器を、第２の容器内に封入することを含む。
【００１４】
更に、本発明は、一若しくはそれ以上のゲル含有電極パッドを含む電極の寿命を高める方法に関する。本方法は、一若しくはそれ以上の電極を備える容器内に少なくとも一の湿気源を封入することを含む。
【００１５】
更に、本発明は、少なくともゲル含有電極パッドを含む電極の寿命を高める方法を提供する。本方法は、金属フォイルを含む剥離ライナーで電極パッドをカバーすることを含む。
【００１６】
更に、本発明は、少なくとも一の湿気源を備えるか若しくは備えない電極の第１の容器を、第２の容器内に封入することを含む電極寿命増大方法を提供する。
【００１７】
本発明の更なる他の目的や効果は、次の詳細な説明を精査することで、当業者にとって明らかになるだろう。詳細な説明は、本発明の好ましい実施例を、本発明を実行する際のベストモードを示すことによって、開示・説明するものである。理解できるように、本発明は、他の異なる実施例であることができ、その幾つかの詳細は、本発明から逸脱することなく、種々の明らかな点で修正が可能である。従って、図面及び説明は、本質的に説明のためのものであり、限定的なものでない。
【００１８】
本発明の目的及び効果は、添付図面を参照して考慮した際に、より明確に理解できるだろう。
【００１９】
［好ましい実施例の説明］
本発明は、とりわけ、電極パッド上のヒドロゲルの乾燥に関連した問題を対処するものである。ゲル含有電極パッドが特に議論されるが、本発明は、パッケージされる湿気に弱い如何なる製品に対しても適用可能である。本発明は、電極パッドの乾燥を防止する補助をする構造及び方法に関する。
【００２０】
電極パッドの寿命は、パッド内のゲルからの水分の蒸発速度、及び、それ故に、特定量の水分がゲルから気化しパッドの容器から漏れるのに要する時間によって部分的に決定される。上述の如く、ある点では、パッド内の水分レベルは、パッドが適切に若しくは全く機能しないレベルに達する。この点では、例えば、細動除去器でのパッドの使用は、患者を処置するのに効果的でないだろう。臨界的なレベルを超える前でさえも、ゲル及びそれ故にパッドの電気的特性が劣化しうる。影響を受けうる電気的特性としては、とりわけ、小さな及び大きな信号インピーダンスがある。ゲルが乾燥するにつれて、インピーダンス値が増加し、これにより、患者の電気信号を監視し、経胸腔インピーダンスを取得し、体内にエネルギを搬送することがより困難となる。
【００２１】
特別な参照が細動除去器になされているが、電極パッドは、他の処置装置及び監視装置にも有用である。如何なる処置装置及び監視装置においても、電極パッドの乾燥は、誤りのデータ及び／又は効果的でない処置を提供することによって患者の処置を劣化させうる。
【００２２】
電極パッドからの湿気の喪失は、また、ゲルの機械的特性にも影響を及ぼしうる。あるゲルの中には、水分の喪失は、ゲル上に膜を形成せしめ、及び／又は、特にゲルのエッジまわりで、ゲルを固体性にする。膜化及び固体化は、ゲルの接着性に影響を与えうる。接着力が減少若しくは無くなると、電極は、効果的でなくなり若しくは無用なものとなる。接着力が減少若しくは欠如すると、電極パッドは、患者の肌と効果的な接触を維持することができない。部分的な肌との接触は、例えば細動除去中に接触領域における電流密度を増加させる。これにより、肌が痛む。
【００２３】
接着力が減少若しくは無くなると、パッドは、肌上に留まる可能性が低下する。接触が無くなると、オープン回路が事実上生成されるだろう。接触が喪失すると、体と電極が接続される装置との間に信号が流れることができない。また、エネルギは、かかる条件のパッドを用いて必要なときに患者に搬送することができない。
【００２４】
現在、電極の電気的及び機械的特性を維持し、電極の寿命を増加させるため、電極パッドは、金属フォイルの袋内に内包されている。金属フォイルの袋は、漏れたとしても非常に少ない湿気の漏れしか許容しない優れた防湿層を提供する。しかし、金属フォイルの袋によるパッケージングは、特に事前に接続される電極が望まれる時、電極パッケージングの選択肢を制限する。かかる容器では、金属フォイルの袋は、袋を介して延在するリード線を必要とする。袋がリード線にシールされるとき、それを完全に離脱させることが困難な時がある。結果として、容器は、電極が取り外された後にリード線上に留まることになる。この容器は、ユーザの邪魔となりうる。更に、リード線まわりにシールされる容器を用いると、リード線と容器との間から湿気が漏れる可能性がある。他のパッケージングの選択肢は、これらの困難を補償することができるが、同様のレベルの防湿層を提供することができない。防湿層が低減されると、湿気は、容器からより早く抜けることができ、電極パッド内のヒドロゲルがより早く乾燥する原因となる。これは、電極の寿命を短縮することになる。
【００２５】
本発明は、容器内に少なくとも１つの追加の湿気源を設置することによって電極の寿命の問題を対処する。電極パッドのヒドロゲルに湿気の源を追加的に付与することによって、本発明は、電極パッドのゲルからの湿気の喪失を低減する。電極パッドのゲル内の湿気は、電極容器内の環境へと漏れるだろう。その他の湿気源を容器内に導入することによって、第２の源からの付加された湿気により、電極パッドのゲルからの湿気の喪失の速度が低下することになる。
【００２６】
本発明による容器は、如何なる典型的な電極容器若しくは如何なる他の適切な材料を含みうる。とりわけ、容器は、金属フォイルを含みうる。容器は、また、一若しくはそれ以上の成形プラスティック及び／又はフォイル部材を含みうる。２つの成形部材は、容器を作成するために結合されうる。或いは、成形部材は、プラスティック及び／又はフォイル部材によりカバーされうる。カバー部材は、脱離可能なカバーの形態であってよい。容器は、また、密閉カートリッジを含みうる。
【００２７】
一実施例によれば、電極は、第２の容器内に封入される第１の容器内に封入される。これは、更に、水分の喪失を低減できるだろう。第１及び／又は第２の容器は、上述のようなものであってよい。一実施例によれば、第２の容器は、その他の金属フォイルの袋であってよい。
【００２８】
容器の構造に拘らず、電極のリード線は、容器内に封入されうる。幾つかの実施例によれば、リード線は、容器内に封入され、容器の外部からアクセス可能である。これは、封入された状態での電極の試験若しくは他の目的のためのアクセスを可能とする。
【００２９】
ある意味では、電極容器の内部は、平衡状態のシステムとしてみることができる。とりわけ、ある量の湿気は、容器の中身に関係なく、電極容器から周囲環境へと喪失する。容器から湿気が失われると、湿気が電極パッドから失われ、失われた湿気が補填される。更なる湿気の源が無いと、容器の内部の１００％の湿気及び容器から失われた湿気が、電極パッドからやってくるだろう。付加された湿気源は、容器内部に湿気を付加し、従って、電極パッドのゲルからの湿気の喪失を低下させる。電極パッド及び追加の湿気源は、容器内部への湿気の付加の負担を分かち合う。ゲル及び追加の湿気源は、容器からの湿気の喪失が変化しないにも拘らず、所与の時間でそれぞれより少ない量の水分を失うことになる。追加の湿気源を導入する結果として、電極パッドが所与の時間でより少ない量の水分を失うことになるので、電極の寿命が増加する。
【００３０】
本発明は、如何なる数の追加の湿気源を利用してもよい。例えば、追加の湿気源は、犠牲ゲルとして知られる、一若しくはそれ以上のゲルの部位を含んでよい。ゲルは、電極パッド内のゲルと類似してよい。ゲルは、電極パッド内で利用されるゲルと同一の成分を有してよい。他の湿気源は、グリセリン、グリセリン含有ゲル、植物樹脂、植物樹脂含有ゲル、ポリマー、ポリマー含有ゲル、アルコール、アルコール含有ゲル、及び／又は、如何なる液体若しくはゲル含有の如何なる他の液体であってよい。
【００３１】
一実施例によれば、犠牲ゲルは、電極パッド内のゲルト同一の成分を有するだけでなく、犠牲ゲルは、電極パッドのゲルと同一のゲルのバッチから取られる。電極パッド及び犠牲ゲルを作成するためのゲルの一バッチを構築することによって、全てのゲルが水含有率を含め類似した化学的組成を有するだろうことが保証できる。これは、電極パッド及び犠牲ゲルによって放たれる湿気量が類似することを保証するのを補助する一方法である。湿気喪失速度を類似させることによって、本発明は、電極パッドのゲルの湿気速度が低減されることを保証するのを補助することができる。
【００３２】
類似の湿気喪失速度は、また、犠牲ゲルが電極パッドよりも大きな速度で湿気を失わないだろうことを保証するのを補助し、電極パッドゲルが湿気を吸収するのに十分に高い湿気レベルを容器内に生成することができるだろう。湿気の喪失と同じように、過剰な湿気の取得は、電極パッドを膨潤し、その接着特性を失わせることによって、電極パッドを動作不能にする。一方、犠牲ゲルからの湿気喪失速度が、電極パッドのゲルからの湿気喪失速度より低い場合、電極パッドは、より乾燥した犠牲ゲルに供給するため、より速い速度で湿気を失うことができる。
【００３３】
犠牲ゲルが電極パッドと同一の湿気含有率を有することができる一方、ゲルは、異なる組成を有しうる。犠牲ゲル若しくは他の湿気源からの湿気の喪失は、犠牲ゲル若しくは他の湿気源及び電極パッドゲルが同一速度で容器に湿気を放出するような態様でありうる。犠牲ゲルが容器に湿気を放出する速度は、犠牲ゲルをカバーにより少なくとも部分的にカバーすることによって調整されうる。犠牲ゲルにカバーを配設しないことができうる一方、犠牲ゲルは、全体的にカバーされることができうる。
【００３４】
犠牲ゲルのカバーは、少なくとも部分的に湿気を透過することができうる。カバーされる犠牲ゲルの量及びあらゆる犠牲ゲルの透湿性を調整することは、犠牲ゲルからの湿気喪失を制御することができる。また、犠牲ゲルの露出表面積を調整することによって、カバーが犠牲ゲルの露出領域をカバーしているか否かに拘らず、犠牲ゲルからの湿気喪失を制御できる。
【００３５】
犠牲ゲル若しくは他の湿気源からの所望の湿気喪失を決定する際に考慮されてよい一ファクターは、電極パッドのゲルからの湿気喪失である。電極パッドのゲルからの湿気喪失に影響を与えるファクターとしては、とりわけ、露出した電極パッドのゲルの面積がある。典型的には、剥離ライナーが電極パッドのゲルをカバーする。剥離ライナーは、電極パッドのゲルのエッジまわりを除き電極パッドのゲルをカバーする。剥離ライナーは、湿気を部分的に透過可能でありうり、若しくは全く透過しないものでありうる。結果として、剥離ライナーは、電極パッドのゲルからの湿気喪失量に影響を与えることができる。それ故に、剥離ライナーの存在及び特性は、犠牲ゲル若しくは他の湿気源からの所望の湿気喪失量に影響を及ぼすことができる。
【００３６】
更に、電極及び関連するパッドの数は、犠牲ゲル若しくは他の湿気源からの所望の湿気喪失量に影響を及ぼすことができる。例えば、容器が２つの電極を含み、それぞれがゲルを備えるパッドを含む場合、唯一の電極を包含する容器に比して、より大きな度合いの犠牲ゲル若しくは他の湿気源からの湿気喪失が望まれるだろう。とりわけ、犠牲ゲル若しくは他の湿気源が、容器内部に電極パッドのゲルと類似する湿気量を放出するような特性を有し、また、２つの電極が容器内にある場合、犠牲ゲル若しくは他の湿気源からの湿気喪失は、電極の寿命を所望の度合い延ばすのには不適となりうるだろう。この場合、電極のゲルは、容器内に犠牲ゲル若しくは他の湿気源よりも多くの湿気を付与することになるだろう。犠牲ゲル若しくは他の湿気源は、２つの電極パッドからのより多くの湿気喪失に適応すべく修正される必要があるだろう。例えば、犠牲ゲルの表面積のより大きな部位を露出することができるだろう。
【００３７】
一例によれば、電極の組み合わせられた露出エッジは、約１平方インチであり、電極を含む容器は、また、一の湿気源を有し、当該湿気源は、類似した露出面積を有する電極パッドのゲルに類似する犠牲ゲルを含む。犠牲ゲルの残りの部位は、電極パッド上の剥離ライナーに対して２倍の湿気量を透過するライナーによってカバーされる。容器は、２つの電極パッドを有しているので、電極パッドから放たれる、組み合わされた湿気は、犠牲ゲルのライナーを介した湿気透過量と類似するだろう。この実施例の代替によれば、犠牲ゲルのその他の部位が、容器内に収容されうり、容器内の一の電極とは対照的に２若しくはそれ以上から放出される増加した湿気が考慮される。
【００３８】
湿気の他の源は、本発明により利用されうる。例えば、液体が、容器内に封入されうる。犠牲ゲルからの湿気放出速度に関する上述の議論が、液体の湿気源に対しても同様に適用される。
【００３９】
液体の一例は、水である。大量の液体が、容器内のリザーバ内に包含されうる。リザーバは、容器の壁に組み込まれうる。或いは、液体は、シリカゲルと同様、容器内に封入された小包内に包含されてよい。液体がどんな方法でパッケージされても、結果として所望の湿気放出速度をもたらすべきである。
【００４０】
その他の湿気の源は、湿気吸収体を含むことができる。湿気吸収体は、犠牲ゲルと同様に容器内に封入されうる。液体の湿気源と同様、犠牲ゲルからの湿気放出速度に関する上述の議論が、湿気吸収体の湿気源に対しても同様に適用される。とりわけ、湿気吸収体の湿気源は、湿気透過カバー若しくは他の種のカバーにより少なくとも部分的にカバーされうる。湿気吸収体の例は、スポンジ、織布材料若しくは不織布材料を含むことができる。
【００４１】
上述の如く、電極パッドのゲルは、剥離ライナーによりカバーされてよい。剥離ライナーの存在は、電極パッドのゲルからの湿気喪失を低減することによって電極の寿命を改善することができる。電極の容器が追加の湿気の源（複数を含む）を含むか否かに拘らず、電極は剥離ライナーを含んでよい。同様に、容器は、剥離ライナーが電極パッドのゲルをカバーしない場合でさえも、追加の湿気の源（複数を含む）を含んでよい。剥離ライナーは、金属フォイル、高分子材料、及び他の適切な材料を含むことができる。一実施例は、単に、電極のゲル上にフォイル層を含む。
【００４２】
剥離ライナーは、複数の層を含むことができる。層は、如何なる高分子材料、フォイル材料若しくは他の材料を含むことができる。一実施例によれば、剥離ライナーは、電極パッドのゲルの近傍に高分子層を含む。金属フォイルの層は、高分子層上に配設される。その他の高分子層は、金属フォイル上に配設される。外側の高分子層は、下にある金属フォイルを保護すると共に、フォイルの穴をシールする補助をすることができる。層は、適切な厚みを有してよい。
【００４３】
高分子層は、適切な高分子を含むことができる。とりわけ、高分子層は、ポリエチレン及び／又はポリプロピレンを含みうる。高分子層がポリエチレンを含む場合、ポリエチレンは、高若しくは低密度でありうる。剥離ライナーが一以上の高分子層を含む場合、各高分子層は、異なりうる。下側の高分子層は、約０．００２インチ（１インチ≒２５．４ｍｍ）〜約０．００５インチの厚さを有することができる。上側若しくは外側の高分子層は、約０．００２インチ〜約０．００５インチの厚さを有することができる。これらは、典型的な剥離ライナーの厚さである。しかし、剥離ライナーは、望ましい程度に厚く及び／又は固くてもよい。
【００４４】
高分子層の場合と同様、フォイル層は、適切な金属フォイルを含みうる。とりわけ、フォイルは、アルミニウムでありうる。フォイル層は、約０．０００３５インチ〜約０．０００７インチの厚さを有することができる。一の特定の実施例によれば、フォイルは、約０．０００３５の厚さを有する。
【００４５】
剥離ライナーの組成に関係なく、剥離ライナーは、低力剥離表面を有する。低力剥離表面は、適切な材料を含んでよい。一実施例によれば、低力剥離表面は、シリコンを含む。
【００４６】
図１乃至図９は、本発明の２，３の特別な実施例を示す。例えば、図１ａ、図１ｂ及び図１ｃは、剥離ライナー１上に２つの電極パッド３、５を含む本発明の一実施例を示す。電極パッドは、ゲルの反対側で図１ａに示される。リード線７，９は、各電極パッドから延在する。犠牲ゲル部位１１も、剥離ライナー上に配設される。図１ａに示す実施例での犠牲ゲルの部位は、各電極パッドの面積と略類似する面積を有する。犠牲ゲル上のカバーは、電極パッド上の剥離ライナーに対して２倍の速さで湿気を放出し、容器が２つの電極及び唯一の犠牲ゲル部位を含むという事実が考慮される。
【００４７】
図１ｂは、部分的に折られた位置に剥離ライナーを示す。更に、図１ｃは、剥離ライナー、取り付けられた電極、及び、完全に折られ容器１３内に包含された犠牲ゲルの部位を示す。容器は、金属フォイルの袋、若しくは、低透湿度（ＭＶＴＲ）を有する他の材料でありうる。
【００４８】
図２は、剥離ライナー１６に取り付けられた２つの電極パッド１７，１９を含む本発明の実施例を示す。リード線２１，２３は、各電極パッドから延在する。２つの犠牲ゲルの部位２５，２７が、剥離ライナーに取り付けられる。
【００４９】
図３は、剥離ライナー２９に取り付けられた２つの電極パッド３１，３３を含む本発明の実施例を示す。リード線３５，３７は、各電極パッドから延在する。図３に示す実施例の湿気源３９は、湿気源からの湿気の放出を調整するため、カバー４１によって少なくとも部分的にカバーされる。カバー上の円形は、カバーが湿気を透過可能であること、若しくは、湿気源からの湿気を漏出させる細孔若しくは他の手段を含むことを示す意味である。
【００５０】
図４ａは、剥離ライナー４３に取り付けられた２つの電極パッド４５，４７を含む本発明の実施例を示す。リード線４９，５１は、各電極パッドから延在する。犠牲ゲル部位５３は、電極パッドが取り付けられた剥離ライナー４３から分離した基板５５に取り付けられる。基板５５は、剥離ライナー４３と類似する剥離ライナーでありうり、若しくは、その他の材料でありうる。図４ｂは、容器部材５７内の、電極、剥離ライナー、犠牲ゲル、及び、基板を示す。
【００５１】
図５ａは、剥離ライナー５９に取り付けられた２つの電極パッドを含む本発明の実施例を示し、一の電極６１のみが示されている。リード線は、各電極パッドから延在する。図５ａは、一のリード線６３のみを示す。図５ａに示す実施例の湿気源は、電極パッドが取り付けられた剥離ライナー５９から分離した湿気含有スポンジ６５の形態である。図５ｂは、容器部材６７内の、電極、剥離ライナー、及びスポンジを示す。
【００５２】
図６は、剥離ライナー７１に取り付けられる複数の電極パッド６９を含む本発明の実施例を示す。犠牲ゲル７３は、剥離ライナー７１に取り付けられる。犠牲ゲルの部位７３は、ゲルから容器内部への湿気の搬送速度を調整するために必要な場合、カバー７５によりカバーされてよい。カバーは、多孔質若しくは半多孔質でありうる。カバーは、犠牲ゲルの一部をカバーするだけでもよい。更に、図６に示す実施例では、ここで説明し図面に示す如何なる実施例も同様に、あらゆるゲル、スポンッ時、若しくは他の湿気源が、他に代替されうる。電極６９、剥離ライナー７１、ゲル７３及びカバー７５は、容器部材７７内に収容される。
【００５３】
図７ａは、硬質若しくは半硬質容器部材８３内に２つの電極パッド７９、８１を含む本発明の実施例を示す。リード線８５，８７は、各電極パッドから延在する。カバー８４は、容器内に電極パッドをシールするため、容器部位８３をカバーしてもよい。カバーは、取り外し可能な、柔軟なカバーであってよい。図７ｂは、図７ａに示す実施例の斜視図である。
【００５４】
図７ａに示す実施例の湿気源８９は、少なくとも１つの犠牲ゲル若しくは他の湿気源を含みうる。湿気源は、電極パッドが取り付けられる剥離ライナーに、若しくは、別の基板に取り付けられうるが、図７ａに示す実施例では、湿気源は、トレー部位９１に配設される。トレー部位は、電極パッドが収容されるトレー部位と一体の部材として形成されうる。或いは、湿気源のトレー部位は、電極パッドが配設されるトレーに取り付けられる部材から形成されうる。これは、図７ａに示す実施例の場合である。カバー９３は、少なくとも部分的に湿気源をカバーしうる。カバーは、湿気を少なくとも部分的に透過可能であってよい。
【００５５】
図８ａは、第１の容器部を囲繞する第２の容器部を含む本発明の実施例を示す。図８ａに示す剥離ライナーの実施例は、金属フォイルを含む。２つの電極９７，９９は、剥離ライナー９５に取り付けられる。リード線１０１，１０３は、各電極パッドから延在する。
【００５６】
図８ｂは、図８ａのライン８ｂ−８ｂに沿った、図８ａの剥離ライナー及び電極パッドの断面図である。図８ｂの剥離ライナーは、高分子層１０５を含む。高分子層１０５は、ポリプロピレン、ポリエチレン、ポリエステル、及び／又は他の高分子材料を含みうる。伝導層１０７は、高分子層１０５の上に位置する。伝導層は、金属フォイルを含みうる。かかる金属フォイルの一例は、アルミニウムフォイルである。その組成の如何に拘らず、伝導層は、約０．０００３５インチの厚みを有しうる。剥離層１０９は、伝導層の上に位置する。剥離層が含みうる金属の例は、シリコンが被覆されたポリエチレン若しくはポリプロピレンである。
【００５７】
図９ａ及び図９ｂは、第１の容器部を囲繞する第２の容器部を含む本発明の実施例を示す。とりわけ、図９ａは、硬質若しくは半硬質の容器トレー部位１１１及びカバー１１３の周囲に第２若しくは外側の容器１０９を備える図７ａ及び図７ｂに示される実施例を示す。図９ａに示す実施例は、カバー１１７を備える追加の湿気源１１５を含むが、カバー１１７及び湿気源１１５を含むことは選択肢の一つである。図９ｂは、第１の容器部１２１を取り囲む第２の容器１１９どぉ含む容器の実施例を示し、第１の容器部１２１は、剥離ライナー１２５上にある電極（一の電極１２３のみが図示されている）を収容する。図９ｂに示す実施例は、容器内に追加の湿気源を含んでいないが、含むこともできる。
【００５８】
本発明の以上の記述は、本発明を図示及び説明している。更に、開示は、本発明の好ましい実施例のみを図示及び説明している。しかし、上述の如く、本発明は、種々の他の組み合わせ、修正及び環境で使用でき、また、当業者によりここで示される発明的概念の観点内で変更や修正ができることを、理解すべきである。上述の実施例は、更に、本発明を実施するための知られたベストモードを説明することを意図しており、そのような実施例、若しくは、特定の用途若しくは本発明の使用によっては種々の変更が必要とされる他の実施例で本発明を当業者にとって利用可能とする。従って、説明は、ここで開示される形態に発明を制限することを意図したものでない。また、請求項は代替実施例を含むように意図されている。
【図面の簡単な説明】
【図１ａ】
電極パッドを備える剥離ライナー上に犠牲ゲル部位若しくは他の湿気源を含む本発明による電極の一セットの一実施例の上面図である。
【図１ｂ】
電極パッドを備える剥離ライナー上に犠牲ゲル部位若しくは他の湿気源を含む本発明による電極の一セットの一実施例の斜視図である。
【図１ｃ】
電極パッドを備える剥離ライナー上に犠牲ゲル部位若しくは他の湿気源を含む本発明による電極の一セットの一実施例の斜視図である。
【図２】
剥離ライナー上に犠牲ゲル若しくは他の湿気源の２つのカバーされていない部位を含む本発明による電極の一セットのその他の実施例の上面図である。
【図３】
剥離ライナー上に犠牲ゲル若しくは他の湿気源の部分的にカバーされた部位を含む本発明による電極の一セットのその他の実施例の上面図である。
【図４ａ】
別の剥離ライナー上に少なくとも一の犠牲ゲル若しくは他の湿気源を含む本発明による電極の一セットのその他の実施例の斜視図である。
【図４ｂ】
別の剥離ライナー上に少なくとも一の犠牲ゲル若しくは他の湿気源を含む本発明による電極の一セットのその他の実施例の斜視図である。
【図５ａ】
湿気含有スポンジの形態の少なくとも一の湿気源を含む本発明による電極の一セットのその他の実施例の斜視図である。
【図５ｂ】
湿気含有スポンジの形態の少なくとも一の湿気源を含む本発明による電極の一セットのその他の実施例の斜視図である。
【図６】
剥離ライナー上に少なくとも一の犠牲ゲルの部位若しくは他の湿気源を含む剥離ライナー上の複数電極の一セットのその他の実施例の上面図である。
【図７ａ】
硬質若しくは半硬質の部位に取り付けられるか、若しくは、硬質若しくは半硬質の部位に一体若しくは取り付けられる少なくとも一の犠牲ゲルの部位若しくは他の湿気源を含み、硬質若しくは半硬質の部位内の電極パッドをシーリングする柔軟な上部カバーを含む、本発明による硬質若しくは半硬質容器内の電極の一セットのその他の実施例の断面図である。
【図７ｂ】
図７ａの斜視図である。
【図８ａ】
２つの電極が取り付く本発明による金属フォイル製剥離ライナーの一実施例の上面図である。
【図８ｂ】
図８ａの斜視図である。
【図９ａ】
２つの電極及び追加の湿気源が内包される内側の容器及び外側の容器部を含む本発明による容器の一実施例の断面図である。
【図９ｂ】
２つの電極が内包される内側の容器及び外側の容器部を含む本発明による容器の一実施例の斜視図である。
【国際公開パンフレット】
2004520153.tif 000003
2004520153.tif 000004
2004520153.tif 000005
2004520153.tif 000006
2004520153.tif 000007
2004520153.tif 000008
2004520153.tif 000009
2004520153.tif 000010
2004520153.tif 000011
2004520153.tif 000012
2004520153.tif 000013
2004520153.tif 000014
2004520153.tif 000015
2004520153.tif 000016
2004520153.tif 000017
2004520153.tif 000018
2004520153.tif 000019
2004520153.tif 000020
2004520153.tif 000021
2004520153.tif 000022
2004520153.tif 000023
2004520153.tif 000024
2004520153.tif 000025
2004520153.tif 000026
2004520153.tif 000027
2004520153.tif 000028
2004520153.tif 000029
2004520153.tif 000030
2004520153.tif 000031
2004520153.tif 000032
2004520153.tif 000033
2004520153.tif 000034
2004520153.tif 000035
2004520153.tif 000036
2004520153.tif 000037
2004520153.tif 000038
2004520153.tif 000039
2004520153.tif 000040
2004520153.tif 000041
2004520153.tif 000042
2004520153.tif 000043
2004520153.tif 000044
【国際公開パンフレット（コレクトバージョン）】
2004520153.tif 000045
2004520153.tif 000046
【国際調査報告】
2004520153.tif 000047
2004520153.tif 000048
2004520153.tif 000049